【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
所定の符号化方法によってピクチャを符号化した符号化ピクチャを復号化する復号化装置であって、
前記所定の符号化方法は、
前記ピクチャと前記ピクチャが参照する第１の参照ピクチャとの間隔に対応する第１のパラメータを算出する第１のパラメータ算出ステップと、
前記第１の参照ピクチャと前記ピクチャが参照する第２の参照ピクチャとの間隔に対応する第２のパラメータを算出する第２のパラメータ算出ステップと、
前記第１のパラメータおよび前記第２のパラメータとの比に基づいて算出される第３のパラメータの値があらかじめ設定された所定範囲に含まれるか否かを判断する判断ステップと、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記ピクチャの予測画素値を算出する、予測画素値生成ステップと、
前記算出された予測画素値を用いて、前記ピクチャを符号化する符号化ステップと、
を備え、
前記復号化装置は、
前記符号化ピクチャと前記符号化ピクチャが参照する第１の参照ピクチャとの間隔に対応する第１のパラメータを算出する第１のパラメータ算出手段と、
前記第１の参照ピクチャと前記符号化画像データが参照する第２の参照ピクチャとの間隔に対応する第２のパラメータを算出する第２のパラメータ算出手段と、
前記第１のパラメータおよび前記第２のパラメータとの比に基づいて算出される第３のパラメータの値があらかじめ設定された所定範囲に含まれるか否かを判断する判断手段と、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記符号化ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記符号化ピクチャの予測画素値を算出する、予測画素値生成手段と、
前記算出された予測画素値を用いて、前記符号化ピクチャを復号化する復号化手段と、
を備えることを特徴とする復号化装置。
【請求項２】
前記間隔とは、時間間隔である、
ことを特徴とする請求項１記載の復号化装置。
【請求項３】
所定の符号化方法によってピクチャを符号化した符号化ピクチャを復号化する復号化方法であって、
前記所定の符号化方法は、
前記ピクチャと前記ピクチャが参照する第１の参照ピクチャとの間隔に対応する第１のパラメータを算出する第１のパラメータ算出ステップと、
前記第１の参照ピクチャと前記ピクチャが参照する第２の参照ピクチャとの間隔に対応する第２のパラメータを算出する第２のパラメータ算出ステップと、
前記第１のパラメータおよび前記第２のパラメータとの比に基づいて算出される第３のパラメータの値があらかじめ設定された所定範囲に含まれるか否かを判断する判断ステップと、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記ピクチャの予測画素値を算出する、予測画素値生成ステップと、
前記算出された予測画素値を用いて、前記ピクチャを符号化する符号化ステップと、
を備え、
前記復号化方法は、
前記符号化ピクチャと前記符号化ピクチャが参照する第１の参照ピクチャとの間隔に対応する第１のパラメータを算出する第１のパラメータ算出ステップと、
前記第１の参照ピクチャと前記符号化画像データが参照する第２の参照ピクチャとの間隔に対応する第２のパラメータを算出する第２のパラメータ算出ステップと、
前記第１のパラメータおよび前記第２のパラメータとの比に基づいて算出される第３のパラメータの値があらかじめ設定された所定範囲に含まれるか否かを判断する判断ステップと、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記符号化ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記符号化ピクチャの予測画素値を算出する、予測画素値生成ステップと、
前記算出された予測画素値を用いて、前記符号化ピクチャを復号化する復号化ステップと、
を備えることを特徴とする復号化方法。
【請求項４】
所定の符号化方法によってピクチャを符号化した符号化ピクチャを復号化する集積回路であって、
前記所定の符号化方法は、
前記ピクチャと前記ピクチャが参照する第１の参照ピクチャとの間隔に対応する第１のパラメータを算出する第１のパラメータ算出ステップと、
前記第１の参照ピクチャと前記ピクチャが参照する第２の参照ピクチャとの間隔に対応する第２のパラメータを算出する第２のパラメータ算出ステップと、
前記第１のパラメータおよび前記第２のパラメータとの比に基づいて算出される第３のパラメータの値があらかじめ設定された所定範囲に含まれるか否かを判断する判断ステップと、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記ピクチャの予測画素値を算出する、予測画素値生成ステップと、
前記算出された予測画素値を用いて、前記ピクチャを符号化する符号化ステップと、
を備え、
前記集積回路は、
前記符号化ピクチャと前記符号化ピクチャが参照する第１の参照ピクチャとの間隔に対応する第１のパラメータを算出する第１のパラメータ算出手段と、
前記第１の参照ピクチャと前記符号化画像データが参照する第２の参照ピクチャとの間隔に対応する第２のパラメータを算出する第２のパラメータ算出手段と、
前記第１のパラメータおよび前記第２のパラメータとの比に基づいて算出される第３のパラメータの値があらかじめ設定された所定範囲に含まれるか否かを判断する判断手段と、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記符号化ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記符号化ピクチャの予測画素値を算出する、予測画素値生成手段と、
前記算出された予測画素値を用いて、前記符号化ピクチャを復号化する復号化手段と、
を備えることを特徴とする集積回路。
【請求項５】
所定の符号化方法によってピクチャを符号化した符号化ピクチャデータであって、
前記符号化ピクチャデータは、
前記ピクチャと前記ピクチャが参照する第１の参照ピクチャとの間隔に対応する第１のパラメータを算出する第１のパラメータ算出ステップと、
前記第１の参照ピクチャと前記ピクチャが参照する第２の参照ピクチャとの間隔に対応する第２のパラメータを算出する第２のパラメータ算出ステップと、
前記第１のパラメータおよび前記第２のパラメータとの比に基づいて算出される第３のパラメータの値があらかじめ設定された所定範囲に含まれるか否かを判断する判断ステップと、
前記第３のパラメータの値が前記所定範囲に含まれる場合には、前記第１及び第２のパラメータを用いて算出される重み係数を用いて、前記第１及び第２の参照ピクチャの画素値をスケーリングすることにより、前記ピクチャの予測画素値を算出し、
前記第３のパラメータの値が前記所定範囲に含まれない場合には、所定値の重み係数を用いて、前記第１及び第２の参照ピクチャの画素値をスケーリングすることにより、前記ピクチャの予測画素値を算出する、予測画素値生成ステップと、
前記算出された予測画素値を用いて、前記ピクチャを符号化する符号化ステップと、
を備えることを特徴とする符号化ピクチャデータ。